(57)【要約】      （修正有）【課題】安価で、捕獲された野生動物にとって痛みや苦痛を与えず、逃げられにくく、捕獲対象外の動物がかかったような場合でも、その解放が容易な動物捕獲用罠を提供する。【解決手段】本考案に係わる動物捕獲用罠は、野生動物の足を左右から挟んで捕捉する一対の挟み板１３ａ，ｂと、開閉する回動蓋１１ａ，ｂを有する。挟み板１３ａ，ｂは、回動する基体部２３ａ，ｂと内側方向に突出する挟持部２５ａ，ｂを有している。挟み板１３ａ，ｂは、断面視で逆ハの字状をしており、収縮方向に与勢する左右一対の与勢部材２６ａによって互いに結合されており、中央部が凹状に窪んで湾曲している。挟み板１３ａ，ｂの挟持部２５ａ，ｂは、摩擦性の部材である。回動蓋１１ａ，ｂは、折れやすい棒状体２９に係止されている。挟み板１３ａ，ｂの基体部２３ａ，ｂには、下方向に回動させる一対のロック解除紐１９ａ，ｂが固着されている。【選択図】図３
0003211051.tif 000002
【実用新案登録請求の範囲】
【請求項１】
容器内に、野生動物の足を左右から挟んで捕獲する一対の挟み板と、該挟み板の上方に開閉する回動蓋を有する動物捕獲用罠であって、
前記挟み板は、回動する基体部と、該基体部に固着されて内側方向に突出する挟持部を有するものであり、
前記開閉する回動蓋は、折れやすい棒状体に係止されるものである
ことを特徴とする動物捕獲用罠。
【請求項２】
前記一対の挟み板は、
断面視で逆ハの字状をしており、収縮方向に与勢する左右一対の与勢部材によって互いに結合されているものである
ことを特徴とする請求項１に記載の動物捕獲用罠。
【請求項３】
前記挟み板は、
中央部が凹状に窪んで湾曲するものである
ことを特徴とする請求項１に記載の動物捕獲用罠。
【請求項４】
前記挟持部は、
摩擦性の部材である
ことを特徴とする請求項１に記載の動物捕獲用罠。
【請求項５】
前記基体部には、
下方向に回動させるロック解除紐が固着されているものである
ことを特徴とする請求項１に記載の動物捕獲用罠。
【考案の詳細な説明】
【技術分野】
【０００１】
本考案は、イノシシやニホンジカなどの有害な野生動物を捕獲するための動物捕獲用罠に関するものである。
【背景技術】
【０００２】
イノシシやニホンジカなどの有害な野生動物による農作物や樹木等への被害は、深刻な社会問題となっている。加えて、イノシシやニホンジカなどの有害な野生動物を銃により狩猟するハンターは、高齢化しており、その数も減少している状況にある。
【０００３】
そこで、はこ罠、くくり罠、トラバサミなどの各種の動物捕獲用罠の開発が検討されている。これらの動物捕獲用罠のうちで、イノシシやニホンジカなどの野生動物に使用するはこ罠は、大型で高価なものであり、移動や設置などが大変な作業になっている。
【０００４】
したがって、イノシシやニホンジカなどの野生動物に使用できる安価で、小型で、移動や設置作業も容易な構造をしているくくり罠や、トラバサミなどの開発が重要視されている。ここで、くくり罠とは、ワイヤーを用いて野生動物の足を括って捕獲するものである（特許文献１）。一方、トラバサミとは、一対の狭圧部材を用いて野生動物の足を両側から挟んで捕獲するものである（特許文献２）。
【先行技術文献】
【特許文献】
【０００５】
【特許文献１】特開２０１６−１３６９２５号公報
【特許文献２】実用新案登録第３１１４１６０号公報
【考案の概要】
【考案が解決しようとする課題】
【０００６】
上述した特許文献１に記載されているくくり罠は、強力な弦巻バネを用いて、略円環状をしたワイヤーを縮径して野生動物の足を括るものであり、捕獲時や捕獲後におけるもがき、暴れによって野生動物の足が千切れる場合がある。
【０００７】
また、上述した特許文献２に記載されているトラバサミは、一対の狭圧部材の間に隙間部が形成され、改良されてはいるものの、強力な板バネを用いて瞬間的に野生動物の足を両側から挟んで捕獲するものなので、捕獲時に野生動物の足の骨が折れる場合がある。
【０００８】
すなわち、上述した特許文献１や特許文献２に記載されている動物捕獲用罠を用いると、捕獲された野生動物にとって激しい痛みや、その後の苦痛を与えるという面からも問題がある。
【０００９】
加えて、上述した特許文献１や特許文献２に記載されている動物捕獲用罠を用いると、猟犬などの捕獲対象外の動物がそれらの罠にかかる可能性もある。そのような場合において、痛がって苦しみ、吠えている猟犬などを、その飼い主などが怪我をしないで、安全な状態でそれらの罠からの解放するのが極めて難しいという問題点がある。
【００１０】
本考案は、上述した問題点を解決するものであり、イノシシやニホンジカなどの野生動物に使用できる安価で、捕獲された野生動物にとって痛みや苦痛を与えることが少なく、逃げられにくく、仮に捕獲対象外の動物が罠にかかったような場合でも、その解放が容易な動物捕獲用罠を提供するものである。
【課題を解決するための手段】
【００１１】
本考案は、上述したような従来からの問題点を解決するものである。
【００１２】
請求項１に記載された考案は、
容器内に、野生動物の足を左右から挟んで捕獲する一対の挟み板と、該挟み板の上方に開閉する回動蓋を有する動物捕獲用罠であって、
前記一対の挟み板は、回動する基体部と、該基体部に固着されて内側方向に突出する挟持部を有するものであり、
前記開閉する回動蓋は、折れやすい棒状体に係止されるものである
ことを特徴としている。
【００１３】
請求項１に記載の考案によると、安価で、捕獲された野生動物にとって痛みや苦痛を与えることが少なくすることができる。
【００１４】
請求項２に記載した考案は、請求項１に記載の動物捕獲用罠であって、
前記挟み板は、
断面視で逆ハの字状をしており、収縮方向に与勢する左右一対の与勢部材によって互いに結合されているものである
ことを特徴としている。
【００１５】
請求項２に記載の考案による動物捕獲用罠を用いると、一対の挟み板は、断面視が逆ハの字状をしており、与勢部材によって互いに接近する方向（引き合う方向）に与勢されているので、野生動物の足をしっかりと捕捉して抜けなくすることができる。
【００１６】
請求項３に記載の考案は、請求項１に記載の動物捕獲用罠であって、
前記挟み板は、
中央部が凹状に窪んで湾曲するものである
ことを特徴としている。
【００１７】
請求項３に記載の考案によると、野生動物をしっかりと捕獲してさらに逃げにくくすることができる。
【００１８】
請求項４に記載した考案は、請求項１に記載の動物捕獲用罠であって、
前記挟持部は、
摩擦性の部材である
ことを特徴としている。
【００１９】
請求項４に記載の考案による動物捕獲用罠を用いると、野生動物の足が千切れたり、折れたりすることもない。したがって、捕獲された野生動物にとって痛みなどの苦痛を受けることがほとんどなくすることができる。
【００２０】
請求項５に記載の考案は、請求項１に記載の動物捕獲用罠であって、
前記基体部には、
下方向に回動させるロック解除紐が固着されているものである
ことを特徴としている。
【００２１】
請求項５に記載の考案によると、猟犬などの捕獲対象外の動物が動物捕獲用罠にかかったような場合でも、離れた位置から容易に解放することができるので、猟犬などに噛まれるおそれもなく安全な構造になっている。
【考案の効果】
【００２２】
本考案を用いることによって、イノシシやニホンジカなどの野生動物に使用できる安価で、捕獲された野生動物にとって痛みや苦痛などを与えることが少なく、逃げられにくく、仮に捕獲対象外の動物が罠にかかったような場合でも、その解放が容易な動物捕獲用罠を提供することができる。
【図面の簡単な説明】
【００２３】
【図１】動物捕獲用罠の概略図である。
【００２４】
（ａ）上蓋の概略図である。
【００２５】
（ｂ）回動蓋が閉じた状態の本体部概略図である。
【００２６】
（ｃ）回動蓋が開いた状態の本体部概略図である。
【図２】図１（ｃ）の概略斜視図である。
【図３】図１（ｂ）のＡ−Ａ矢視端面図である。
【図４】動物捕獲用罠の設置時の概略図である。
【図５】動物捕獲用罠の使用時の概略図である。
【００２７】
（ａ）野生動物の足が動物捕獲用罠を踏む直前の説明図である。
【００２８】
（ｂ）野生動物の足が動物捕獲用罠を踏んだ直後の説明図である。
【００２９】
（ｃ）野生動物の足が動物捕獲用罠に捉えられた状態の説明図である。
【考案を実施するための形態】
【００３０】
以下において、本考案に係わる動物捕獲用罠１の実施の形態について図１〜図５を用いて詳細に説明する。
＜概略構造＞
イノシシやニホンジカなどの野生動物の捕獲に使用する本考案に係わる動物捕獲用罠１の概略構造を図１に示す。本考案に係わる動物捕獲用罠１は、野生動物の足が挿入される上蓋３と本体部５を有するものであり、上蓋３が本体部５の上方から被さる構造をしている。
【００３１】
本実施例では、メンテナンス作業等を容易にするために、上蓋３と本体部５とは分離できる構造にした（図１）。本考案に係わる動物捕獲用罠１の概略寸法は、約１５ｃｍ四方で深さが約２０ｃｍのものである。
【００３２】
上蓋３の略中央部には、鳥獣の保護及び管理並びに狩猟の適正化に関する法律施行規則第１０条第３項に適用するために直径が１２ｃｍ以下の孔４が開けられている。この孔４は、野生動物の足が本体部５に挿入する部分であり、本体部５の四方の側面部近傍を除く部分（以下において、単に略中央部という。）を踏むことによって、より捕獲しやすくするためのものである。なお、本実施例では、略円形をした孔４を図示しているが、長方形、多角形、楕円形などの形状にすることもできる。
【００３３】
本体部５は、上部に回動可能な左右一対の嵌合する回動蓋１１ａ，ｂと、その下方に動物の足を捕獲するための一対の挟み板１３ａ，ｂを有するものである。なお、本実施例では、略直方体形状をした容器で説明をしているが、多角形状、円筒形状及び楕円筒形状等にすることもできる。
【００３４】
これらの上蓋３と本体部５の主な材質は、捕獲した動物が逃げようとして暴れることなどを想定し、使用に十分に耐えうる材質、例えば、鋼板や耐腐食性のステンレス板などを用いている。また、本体部５の底面部分には、図示されていない水抜用の孔が開けられている。
＜本体部の構造＞
本考案に係わる動物捕獲用罠１の本体部５について、図２及び図３を用いて詳細に説明する。本体部５は、容器内に野生動物の足が挿入されて捕獲される部分である。
【００３５】
図２は、回動蓋１１ａ，ｂが下方向に回動し、開いた状態（図１（ｃ）に相当する図）における本体部５の内部構造の概略斜視図である。図３は、回動蓋１１ａ，ｂが閉じた状態（図１（ｂ）に相当する図）におけるＡ−Ａ矢視端面図である。
【００３６】
本体部５は、回動可能な左右一対の嵌合する回動蓋１１ａ，ｂと、その下方に動物の足を捕獲するための回動可能な一対の挟み板１３ａ，ｂを有するものである（図２，３）。
【００３７】
図示されているように、回動蓋１１ａは凸部を有するものであり、回動蓋１１ｂは凹部を有するものであり、蝶番１２ａ〜ｄを用いて回動可能な構造で嵌合し、本体部５の側面に形成した一対のＵ字溝２８ａ，ｂ（ただし、Ｕ字溝２８ａのみ図示した。）に設置した棒状体２９に当接した状態で係止されている。
【００３８】
この棒状体２９には、折れやすい材質の細棒、例えば、割り箸や竹ひごなどを用いることができる。この棒状体２９の強度、例えば、太さを変えることによって、野生動物の重量に対応する捕獲が可能になる。したがって、イノシシやニホンジカなどに比べて、小型の猟犬などが回動蓋１１ａ，ｂを踏んでも、棒状体２９を折れにくくすることができる。また、上述したように、上蓋３は、略中央部に孔４が開けられているので、この棒状体２９の中央部付近に野生動物の重量がかかることになる。
【００３９】
一対の挟み板１３ａ，ｂは、断面視が逆ハの字状をしており、回動軸２１ａ，ｂを軸として回動するものである（図３）。一対の挟み板１３ａ，ｂは、収縮方向に与勢する左右一対の与勢部材２６ａ，ｂ、例えば、バネ又はゴムなどによって互いに結合されている。
【００４０】
したがって、一対の挟み板１３ａ，ｂは、断面視が逆ハの字状をしており、与勢部材２６ａ，ｂによって互いに接近する方向（引き合う方向）に与勢されているので、捕獲した野生動物の足をしっかりと捕捉して抜けなくすることができる。なお、与勢部材２６ａ，ｂは、一対の挟み板１３ａ，ｂを互いに接近する方向に与勢するものであり、くくり罠で使用されているバネように動物の足を締め付けるような強度を有するものではない。
【００４１】
野生動物の足を捉える挟み板１３ａ，ｂは、板状をした剛性の基体部２３ａ，ｂに、板状をした摩擦性のある挟持部２５ａ，ｂが、例えば、接着剤などによって固着されたものである。基体部２３ａ，ｂとしては、例えば、鋼板やステンレス板などを用いることができる。
【００４２】
挟持部２５ａ，ｂは、基体部２３ａ，ｂよりも容器の内側方向に突出する構造をしている（図３）。なお、挟持部２５ａ，ｂの突出部分の形状として、断面が略円錐形状をした複数個の突起にすることもできる。この挟持部２５ａ，ｂは、摩擦性の部材、例えば、ゴム板や一般的にはポロン（ＰＯＲＯＮ）と称されている強度を有する発泡体などを用いることができる。挟持部２５ａ，ｂとして、摩擦性の部材を用いることによって、野生動物をしっかりと捕捉して逃げにくくすることができる。
【００４３】
ここで、一対の挟み板１３ａ，ｂの先端部分を、固定ピン１４ａ〜ｄなどを用いて逆ハの字状、例えば、下方向（θ）に１５〜３０度程度傾けておくと（図３）、野生動物の捕獲効率を高めることができることが分かった。この固定ピン１４ａ〜ｄは、一対の挟み板１３ａ，ｂを上方向に一定角度を超えて回動するのを防止するロック機能も有しており、捕捉した野生動物の逃亡を防止することができる。
【００４４】
また、挟み板１３ａ，ｂを構成する基体部２３ａ，ｂと挟持部２５ａ，ｂは、中央部が凹状に窪んで湾曲するようにした（図２）。このように、中央部が凹状に窪んで湾曲する挟み板１３ａ，ｂを用いると、野生動物の捕獲効率をさらに高めることができることが分かった。
【００４５】
一対の挟み板１３ａ，ｂの基体部２３ａ，ｂには、ロック解除紐１９ａ，ｂが固着されており、このロック解除紐１９ａ，ｂを引っ張ることによって、一対の挟み板１３ａ，ｂを下方向（一対の挟み板１３ａ，ｂが下方に開く方向）に回動させることができるようにした（図３）。すなわち、仮に猟犬などの捕獲対象外の動物が動物捕獲用罠１にかかったような場合でも、離れた位置から容易に解放することができる。したがって、本考案に係わる動物捕獲用罠１を用いると、罠にかかった猟犬などに噛まれるおそれがなく、安全な構造になっている。
【００４６】
本体部５下方の側面部分には、一対のワイヤー１５ａ，ｂが、例えば、ボルト・ナットなどによってワイヤー固定部１７ａ，ｂに固着されている。このワイヤー１５ａ，ｂは、捕獲した野生動物によって動物捕獲用罠１ごと持ち去られるのを防止するためのものである。
【００４７】
ワイヤー１５ａ，ｂの他端は、そのままの状態で、又は、猿環３３ａ，ｂなどを用いて他のワイヤー１５ｃ，ｄに接続した状態で立ち木３１ａ，ｂなどに固着される（図４）。ここで、猿環３３ａ，ｂなどを用いて、本体部５からのワイヤー１５ａ，ｂと、別のワイヤー１５ｃ，ｄとを接続することによって、動物捕獲用罠１をコンパクト化して、持ち運びを容易にできる。また、猿環３３ａ，ｂを用いることによって、捕獲した野生動物が暴れたりするような場合でも、ワイヤー部分が捩じれたりして、切断したりする場合を防止できる。
【００４８】
ワイヤー１５ｃ，ｄは、バネ３２ａ，ｂを介して猿環３３ａ，ｂと接続することもできる（図４）。ワイヤー１５ｃ，ｄと猿環３３ａ，ｂとをバネ３２ａ，ｂを介して接続することによって、捕獲された野生動物が暴れた場合でも動物捕獲用罠１にかかるショックを吸収することができる。
【００４９】
なお、本実施例では、本体部５に左右一対のワイヤー１５ａ，ｂを用いた例を図示しているが、どちらか一方のワイヤーのみを用いて、一本の立ち木などに固着することもできる。
＜使用方法＞
本考案に係わる動物捕獲用罠１の使用方法について説明する（図４、図５）。地面３７に本考案に係わる動物捕獲用罠１が収納できる穴、例えば、２０ｃｍ四方で深さが２５ｃｍ程度の穴を掘り、本考案に係わる動物捕獲用罠１を埋めておく。
【００５０】
ロック解除紐１９ａ，ｂとして、長さが数ｍ、例えば、４ｍのものを用いるとともに、その先端に目印をつけて、弛みを付け、２ｍ以上離隔した状態で地面に埋めておく。ロック解除紐１９ａ，ｂは、弛みを付けた状態で地面に埋められているので、捕獲した野生動物が暴れても、ロック解除紐１９ａ，ｂが地上に表れることはない。なお、ロック解除紐１９ａ，ｂの先端を物捕獲用罠１から２ｍ以上離隔した理由は、仮に猟犬などがかかったような場合でも、離れた安全な場所から開放できるようにするためである。
【００５１】
ワイヤー１５ａ，ｂの他端は、猿環３３ａ，ｂなどを介して他のワイヤー１５ｃ，ｄと接続した状態で立ち木３１ａ，ｂなどに固着する（図４）。本考案に係わる動物捕獲用罠１の上面部分は、小枝３５や落ち葉などを用いて偽装する。
【００５２】
本考案に係わる動物捕獲用罠１に野生動物が近ずき（図５（ａ））、動物の足３９が回動蓋１１ａ，ｂを踏むことによって、棒状体２９が折れて、回動蓋１１ａ，ｂが下方向に開く（図５（ｂ））。そして、動物の足３９はそのまま下方向に落下し、一対の挟み板１３ａ，ｂの挟持部２５ａ，ｂによって左右から挟まれて捕獲される（図５（ｃ））。
【００５３】
挟持部２５ａ，ｂの材質として、ゴム板や発泡体などの摩擦性の部材を用いているので、野生動物の足が千切れたり、折れたりすることもない。したがって、本考案に係わる動物捕獲用罠１を用いると、捕獲された野生動物にとって痛みなどの苦痛を受けることがほとんどない。
【００５４】
一対の挟み板１３ａ，ｂは、収縮方向に与勢する左右一対の与勢部材２６ａ，ｂによって、互いに接近する方向に結合されているので、野生動物の足３９をしっかりと捕捉して抜けなくすることができる。逃げようとした際に脚を引っぱると挟持部２５ａ，ｂの滑り止めゴムに脚がかかり、挟み板１３ａ，ｂが持ち上がる。そのためはさみ部分の穴がより狭まって脚を締め付けるために脚はより強く締め付けられて動物は逃げることができない。また、上述したように固定ピン１４ａ〜ｄによって、一対の挟み板１３ａ，ｂを上方向に一定角度を超えて回動するのを防止できるので、捕獲した野生動物の逃亡をさらに阻止することができる。
【００５５】
加えて、仮に猟犬などの捕獲対象外の動物が本考案に係わる動物捕獲用罠１にかかったような場合でも、地中に埋めてあるロック解除紐１９ａ，ｂを引くことによって、一対の挟み板１３ａ，ｂを下方向（開く方向）に回動させて、猟犬などを解放することができる。
【００５６】
上述した実施例では、略直方体形状をし、水平方向の断面視が略正方形状をした容器を用いる動物捕獲用罠１を使用した場合について説明をしているが、水平方向の断面視が多角形状、円筒形状及び楕円筒形状等の容器にすることもできる。
【産業上の利用可能性】
【００５７】
本考案に係わる動物捕獲用罠は、野生動物の捕獲に好適な罠として使用することができる。
【符号の説明】
【００５８】
１  動物捕獲用罠
３  上蓋
４  孔
５  本体部
１１ａ，ｂ  回動蓋
１２ａ〜ｄ  蝶番
１３ａ，ｂ  挟み板
１４ａ〜ｄ  固定ピン
１５ａ〜ｄ  ワイヤー
１７ａ，ｂ  ワイヤー固定部
１９ａ，ｂ  ロック解除紐
２１ａ，ｂ  回動軸
２３ａ，ｂ  基体部
２５ａ，ｂ  挟持部
２６ａ，ｂ  付勢部材
２７ａ，ｂ  固着部
２８ａ，ｂ  Ｕ字溝
２９  棒状体
３１ａ，ｂ  立ち木
３２ａ，ｂ  バネ
３３ａ，ｂ  猿環
３５  小枝
３７  地面
３９  動物の足
【図１】
0003211051.tif 000003
【図２】
0003211051.tif 000004
【図３】
0003211051.tif 000005
【図４】
0003211051.tif 000006
【図５】
0003211051.tif 000007